(57)【要約】【課題】  表示画面から発生する騒音を、コストをかけずに低減することの可能な技術を提供する。【解決手段】  スイッチング回路３は、スイッチング液晶パネル３０に出力する駆動信号（ＳＥＧ信号，ＣＯＭ信号）の周波数および位相を、音声信号の周波数および位相と略等しくする。これにより、駆動信号の周波数・位相に応じた騒音がスイッチング液晶パネル３０から発生している場合でも、この騒音を、スピーカー５からの音声で紛らす（騒音に音声をかぶせる）ことが可能となり、騒音を目立たなくする（隠す）ことが可能となる。【選択図】  図１
2005091512.tif 000002
【特許請求の範囲】
【請求項１】
表示画面に画像を表示するとともに、スピーカーから音声を発生させる画像表示装置に備えられ、表示画面に駆動信号を出力する駆動信号出力装置において、
表示画面に出力する駆動信号の周波数および位相を、スピーカーに出力される音声信号と略等しくすることを特徴とする駆動信号出力装置。
【請求項２】
上記表示画面が、上記の駆動信号によって駆動されるスイッチング液晶パネルを備え、複数の視点に対し異なる映像を表示する液晶パネルであることを特徴とする請求項１に記載の駆動信号出力装置。
【請求項３】
上記表示画面が、３Ｄ液晶パネルであることを特徴とする請求項２に記載の駆動信号出力装置。
【請求項４】
上記スピーカーに出力される音声信号を取得し、
この音声信号が所定の第１閾値を超えているタイミングで正のパルス波を有し、第１閾値より小さい所定の第２閾値を下回るタイミングで負のパルス波を有する第１整形信号を生成し、
この第１整形信号に基づいて駆動信号を生成することを特徴とする請求項１に記載の駆動信号出力装置。
【請求項５】
上記第１整形信号における、上記した正あるいは負のパルス波以外の部分を、その部分の直前のパルス波で置き換えた第２整形信号を生成し、この信号に基づいて駆動信号を生成することを特徴とする請求項４に記載の駆動信号出力装置。
【請求項６】
表示画面と、
請求項１に記載の駆動信号出力装置と、
スピーカーと、
スピーカーに音声信号を出力する音声信号出力装置とを備えた画像表示装置。
【請求項７】
表示画面に画像を表示するとともに、スピーカーから音声を発生させる画像表示装置に備えられ、スピーカーに音声信号を出力する音声信号出力装置において、
スピーカーに出力するべき有効な音声信号のない場合、
表示画面に出力される駆動信号と略等しい周波数および反対の位相を有する相殺音信号をスピーカーに出力することを特徴とする音声信号出力装置。
【請求項８】
上記表示画面が、上記の駆動信号によって駆動されるスイッチング液晶パネルを備え、複数の視点に対し異なる映像を表示する液晶パネルであることを特徴とする請求項７に記載の音声信号出力装置。
【請求項９】
上記表示画面が、３Ｄ液晶パネルであることを特徴とする請求項８に記載の駆動信号出力装置。
【請求項１０】
表示画面と、
表示画面に駆動信号を出力する駆動信号出力装置と、
スピーカーと、
請求項７に記載の音声信号出力装置とを備えた画像表示装置。
【請求項１１】
表示画面に画像を表示するとともに、スピーカーから音声を発生させる画像表示装置において、
表示画面に駆動信号を出力する駆動信号出力装置と、
スピーカーに音声信号を出力する音声信号出力装置とを備えており、
上記の駆動信号出力装置は、表示画面に出力する駆動信号の周波数および位相を、スピーカーに出力される音声信号と略等しくする一方、
スピーカーに出力するべき有効な音声信号のない場合、
上記の音声信号出力装置は、表示画面に出力される駆動信号と略等しい周波数および反対の位相を有する相殺音信号をスピーカーに出力することを特徴とする画像表示装置。
【請求項１２】
表示画面に画像を表示するとともに、スピーカーから音声を発生させる画像表示装置に用いられ、表示画面に駆動信号を出力する駆動信号出力方法において、
表示画面に出力する駆動信号の周波数および位相を、スピーカーに出力される音声信号と略等しくする駆動信号調整工程を有していることを特徴とする駆動信号出力方法。
【請求項１３】
表示画面に画像を表示するとともに、スピーカーから音声を発生させる画像表示装置に用いられ、スピーカーに音声信号を出力する音声信号出力方法において、
スピーカーに出力するべき有効な音声信号のない場合、
表示画面に出力される駆動信号と略等しい周波数および反対の位相を有する相殺音信号をスピーカーに出力する相殺音出力工程を有していることを特徴とする音声信号出力方法。
【請求項１４】
表示画面に画像を表示するとともに、スピーカーから音声を発生させる画像表示装置に備えられたコンピューターに、請求項１２に記載の駆動信号調整工程あるいは請求項１３に記載の相殺音出力工程を実行させるための騒音解消プログラム。
【請求項１５】
請求項１４に記載の騒音解消プログラムを記録した記録媒体。
【発明の詳細な説明】
【技術分野】
【０００１】
本発明は、表示画面に画像を表示するとともに、スピーカーから音声を発生させる画像表示装置に関し、表示画面から発生する発振音を低減する技術に関するものである。
【背景技術】
【０００２】
従来、携帯電話やノートパソコンの表示画面として、一般に、液晶パネルが用いられている。また、このような液晶パネルとして、通常の２次元表示に加えて３次元表示も行える、３Ｄ液晶表示パネル（３Ｄ液晶表示パネル）が開発されている（特許文献１・２参照）。
【０００３】
３Ｄ液晶パネルは、通常の２次元表示を行うための液晶パネル（ＴＦＴ−ＬＣＤ）に加えて、視差バリア板（微細加工位相差板）およびスイッチング液晶パネル（ＳＷ−ＬＣＤ）を備えている。
【０００４】
視差バリア板は、ＴＦＴ−ＬＣＤの表示に光学視差バリアを形成し、ユーザーに向かう光の進行方向を制限するものである。これにより、ユーザーの左右の眼に異なる画像が写るように光を分離し、３次元表示（立体表示）を実現できるようになっている。
【０００５】
また、スイッチング液晶パネルは、視差バリア板の影響の有無を切り替えるものである。すなわち、スイッチング液晶パネルをＯＮ状態とすることで、視差バリアによる光の分離を無効化して、ユーザーの左右の眼に同じ画像を写せるようになる。これにより、一般的な２次元表示（平面表示）も可能となっている。
【０００６】
ところで、このような３Ｄ液晶パネルを備えた電子機器では、動作中に、虫の飛んでいるような発振音（騒音；ノイズ）の聞こえることがある。
これは、電子機器のユーザーにとって耳障りな音であり、特に、ユーザーが耳を近づけて使用する機会の多い携帯電話（および携帯電話機能を有する携帯情報端末（ＰＤＡ））に応用する場合には、大きな問題となる。
【０００７】
また、このような騒音は、３Ｄ液晶パネルにおいて２次元表示を行うとき（２次元表示モード）だけに聞こえるものである。
従って、２次元表示モード時にＯＮ状態となる、スイッチング液晶パネルが発生源であると考えられている。
すなわち、この騒音は、スイッチング液晶パネルをＯＮ状態にした際に、その内部の電極基板（ガラス）が振動し、これによって３Ｄ液晶パネルの全体が振動して発生するとみられている。
【０００８】
なお、このような問題は、２次元の液晶パネルにも生じることもある。
例えば、特許文献３には、２次元液晶パネルに関し、走査信号生成回路のスイッチング部において、アルミ電解コンデンサの充放電によって同様の騒音の発生する旨が記載されている。
【０００９】
また、この公報には、このような騒音を解消するために、発生源である上記のコンデンサに近接させて、同特性のコンデンサを別途に設け、これらを逆位相でスイッチングする技術が開示されている。
すなわち、この技術では、２つのコンデンサから逆位相の騒音を発生させて互いに打ち消し合わせることで、外部に漏れる騒音を低減するようになっている。
【特許文献１】特開平１０−２２９５６７号公報（公開日平成１０年８月２５日）
【特許文献２】特開平１０−１２３４６１号公報（公開日平成１０年５月１５日）
【特許文献３】特開平１１−１０２１６９号公報（公開日平成１１年４月１３日）
【発明の開示】
【発明が解決しようとする課題】
【００１０】
しかしながら、特許文献３の技術では、画像表示に用いることのない、騒音解消のためだけに使用する第２のコンデンサを別途に備える必要がある。
また、２つのコンデンサを同時に逆位相で駆動するために、駆動回路も余分に備えなくてはならない。
【００１１】
従って、このような技術を用いて３Ｄ液晶パネルの騒音を低減させようとすると、パネルの構造が複雑となって製造コストを上昇させてしまうとともに、パネルおよびパネルを備える電子機器の大型化を招来してしまう。
このため、携帯電話等、小型化を求められている機器に関し、上記の技術を適用することは不可能である。
【００１２】
本発明は、上記のような従来の問題点を解決するために成されたものである。そして、その目的は、上記したような表示画面から発生する騒音を、コストをかけずに低減することの可能な技術を提供することにある。
【課題を解決するための手段】
【００１３】
上記の目的を達成するために、本発明の駆動信号出力装置（第１出力装置）は、表示画面に画像を表示するとともに、スピーカーから音声を発生させる画像表示装置に備えられ、表示画面に駆動信号を出力する駆動信号出力装置において、表示画面に出力する駆動信号の周波数および位相を、スピーカーに出力される音声信号と略等しくすることを特徴としている。
【００１４】
また、第１出力装置では、上記表示画面が、上記の駆動信号によって駆動されるスイッチング液晶パネルを備え、複数の視点に対し異なる映像を表示する液晶パネルであってもよい。
また、この場合、表示画面が、３Ｄ液晶パネルであってもよい。
【００１５】
また、第１出力装置は、スピーカーに出力される音声信号を取得し、この音声信号が所定の第１閾値を超えているタイミングで正のパルス波を有し、第１閾値より小さい所定の第２閾値を下回るタイミングで負のパルス波を有する第１整形信号を生成し、この第１整形信号に基づいて駆動信号を生成するように設定されていてもよい。
また、この場合、第１整形信号における、上記した正あるいは負のパルス波以外の部分を、その部分の直前のパルス波で置き換えた第２整形信号を生成し、この信号に基づいて駆動信号を生成するように設定されていてもよい。
【００１６】
また、本発明の画像表示装置は、表示画面と、第１出力装置と、スピーカーと、スピーカーに音声信号を出力する音声信号出力装置とを備えたものである。
【００１７】
また、本発明の音声信号出力装置（第２出力装置）は、表示画面に画像を表示するとともに、スピーカーから音声を発生させる画像表示装置に備えられ、スピーカーに音声信号を出力する音声信号出力装置において、スピーカーに出力するべき有効な音声信号のない場合、表示画面に出力される駆動信号と略等しい周波数および反対の位相を有する相殺音信号をスピーカーに出力することを特徴としている。
【００１８】
また、第２出力装置では、表示画面が、上記の駆動信号によって駆動されるスイッチング液晶パネルを備え、複数の視点に対し異なる映像を表示する液晶パネルであってもよい。
また、この場合、表示画面が、３Ｄ液晶パネルであってもよい。
【００１９】
また、本発明の他の画像表示装置は、表示画面と、表示画面に駆動信号を出力する駆動信号出力装置と、スピーカーと、第２出力装置とを備えたものである。
【００２０】
また、本発明のさらに他の画像表示装置は、表示画面に画像を表示するとともに、スピーカーから音声を発生させる画像表示装置において、表示画面に駆動信号を出力する駆動信号出力装置と、スピーカーに音声信号を出力する音声信号出力装置とを備えており、上記の駆動信号出力装置は、表示画面に出力する駆動信号の周波数および位相を、スピーカーに出力される音声信号と略等しくする一方、スピーカーに出力するべき有効な音声信号のない場合、上記の音声信号出力装置は、表示画面に出力される駆動信号と略等しい周波数および反対の位相を有する相殺音信号をスピーカーに出力することを特徴としている。
【００２１】
また、本発明の駆動信号出力方法（第１出力方法）は、表示画面に画像を表示するとともに、スピーカーから音声を発生させる画像表示装置に用いられ、表示画面に駆動信号を出力する駆動信号出力方法において、表示画面に出力する駆動信号の周波数および位相を、スピーカーに出力される音声信号と略等しくする駆動信号調整工程を有していることを特徴としている。
【００２２】
また、本発明の音声信号出力方法（第２出力方法）は、表示画面に画像を表示するとともに、スピーカーから音声を発生させる画像表示装置に用いられ、スピーカーに音声信号を出力する音声信号出力方法において、スピーカーに出力するべき有効な音声信号のない場合、表示画面に出力される駆動信号と略等しい周波数および反対の位相を有する相殺音信号をスピーカーに出力する相殺音出力工程を有していることを特徴とする方法である。
【００２３】
また、本発明の騒音解消プログラムは、表示画面に画像を表示するとともに、スピーカーから音声を発生させる画像表示装置に備えられたコンピューターに、第１出力方法の駆動信号調整工程、あるいは、第２出力方法の相殺音出力工程を実行させるためのコンピュータープログラムである。
また、本発明の記録媒体は、このプログラムを記録したものである。
【発明の効果】
【００２４】
本発明の駆動信号出力装置（第１出力装置）は、表示画面に画像を表示するとともに、スピーカーから音声を発生させる画像表示装置に備えられ、表示画面に駆動信号を出力する駆動信号出力装置において、表示画面に出力する駆動信号の周波数および位相を、スピーカーに出力される音声信号と略等しくすることを特徴としている。
【００２５】
この第１出力装置は、表示画面とスピーカーとを備え、これらを用いて画像および音声を表示する、携帯電話や液晶テレビ受像機などの画像表示装置に備えられているものである。
【００２６】
このような画像表示装置では、スピーカーに音声信号が伝達されて、この音声信号に応じた音声がスピーカーから出力される。また、第１出力装置のような駆動信号出力装置によって駆動信号を表示画面に出力することで、表示画面に画像が表示される。
【００２７】
また、特に、この第１出力装置は、スピーカーから音声が出力されているとき（音声出力時）、この音声信号を取得する。
そして、第１出力装置は、表示画面に出力する駆動信号の周波数および位相を、音声信号の周波数および位相と略等しくするように設定されている。
【００２８】
このように、第１出力装置では、表示画面を、スピーカーからの音声に同調させた駆動信号によって駆動するようになっている。
これにより、第１出力装置では、駆動信号の周波数・位相に応じた騒音が表示画面から発生している場合でも、この騒音を、スピーカーからの音声で紛らす（騒音に音声をかぶせる）ことが可能となり、騒音を目立たなくする（隠す）ことが可能となっている。
【００２９】
以上のように、第１出力装置を用いれば、音声出力時における表示画面の騒音を解消できる。従って、ユーザーが耳を近づけて使用する機会の多い携帯電話等に応用すれば、耳障りな騒音によってユーザーに不快感を与えてしまうことを回避できる。
また、第１出力装置では、騒音解消処理のための専用の部材を備える必要がない。従って、コストを上昇させることなく、騒音解消処理を実現できる。
【００３０】
なお、上記したような「音声信号と駆動信号との周波数が略等しい」状態とは、各信号の周波数の比（低い方の周波数値を高い方の周波数値で割った値）が８０％以上となっている状態である。
また、「音声信号と駆動信号との位相が略等しい」とは、音声と騒音（駆動信号に応じたもの）とをユーザーが耳で聞いたときに、２つの音がずれていないと感じるような状態である。具体的には、音声信号と駆動信号との位相のずれが、半周期未満である状態のことである。
【００３１】
また、第１出力装置からの駆動信号を受ける表示画面の部材は、駆動信号の周期や位相に厳密さを求めないタイプの部材であることが好ましい。このような部材としては、複数の視点に対し異なる映像を表示する液晶パネル（例えば３Ｄ液晶パネル）の表示モードを切り替えるための、スイッチング液晶パネルなどを挙げられる。
【００３２】
また、第１出力装置は、以下の（ａ）〜（ｃ）に示すような工程によって、駆動信号を生成するようにしてもよい。
（ａ）スピーカーに出力される音声信号を取得する。
（ｂ）取得した音声信号が第１閾値を超えているタイミングで正のパルス波を有し、第２閾値を下回るタイミングで負のパルス波を有する第１整形信号を生成する（第１閾値および第２閾値は、あらかじめ定められた閾値であり、第１閾値＞第２閾値の関係にある）。
（ｃ）第１整形信号に基づいて駆動信号を生成する。
【００３３】
ここで、第１整形信号は、音声信号と略等しい周波数および位相を有する、種類のパルス波（矩形波）を含む信号である。また、第１出力装置は、パルス波の振幅を、表示画面の駆動信号として適切な値に設定する。
これにより、音声信号と略等しい周波数および位相を有する駆動信号を容易に生成できる。
【００３４】
また、この第１整形信号は、正あるいは負のパルス波以外の不要部分（例えば、音声信号における第１閾値以下かつ第２閾値以上となっているタイミングに応じた部分）を有している可能性がある。
このような不要部分については、振幅を０とすることが好ましい。しかしながら、このような振幅０の部分のあることが好ましくない場合には、各不要部分をその直前のパルス波で置き換えた第２整形信号を生成し、この信号に基づいて駆動信号を生成するようにしてもよい。
これにより、不要部分のない完全なパルス信号（正負のパルス波のみから構成されている信号）を生成できる。
【００３５】
また、本発明の音声信号出力装置（第２出力装置）は、表示画面に画像を表示するとともに、スピーカーから音声を発生させる画像表示装置に備えられ、スピーカーに音声信号を出力する音声信号出力装置において、スピーカーに出力するべき有効な音声信号のない場合、表示画面に出力される駆動信号と略等しい周波数および反対の位相を有する相殺音信号をスピーカーに出力することを特徴としている。
【００３６】
この第２出力装置は、第１出力装置と同様に、表示画面とスピーカーとを備え、これらを用いて画像および音声を表示する、携帯電話や液晶テレビ受像機などの画像表示装置に備えられているものである。
【００３７】
このような画像表示装置では、第２出力装置のような音声信号出力装置によって、スピーカーに音声信号が伝達されて、この音声信号に応じた音声がスピーカーから出力される。
また、第１出力装置のような駆動信号出力装置によって、駆動信号を表示画面に出力することによって、表示画面に画像が表示される。
【００３８】
また、特に、第２出力装置は、スピーカーに出力するべき有効な音声信号（スピーカーを介してユーザーに聞かせるための音声（有効音声）に応じた音声信号）のないとき（無音時）、表示画面に出力されている駆動信号を取得する。
そして、取得した駆動信号と略等しい周波数および反対の位相（逆位相）を有する相殺音信号を生成し、スピーカーに出力するように設定されている。
【００３９】
すなわち、第２出力装置は、無音時に、駆動信号の周波数・位相に応じた騒音が表示画面から発生している場合でも、騒音と略同周波数で略逆位相の音声（相殺音）を発生させ、これらを互いに相殺させるようになっている。
これにより、第２出力装置では、表示画面の騒音を、スピーカーからの相殺音によって消去することが可能となっている。
【００４０】
以上のように、第２出力装置を用いれば、無音時における表示画面の騒音を解消できる。従って、第１出力装置と同様に、ユーザーが耳を近づけて使用する機会の多い携帯電話等に応用すれば、耳障りな騒音によってユーザーに不快感を与えてしまうことを回避できる。
【００４１】
また、第２出力装置では、第１出力装置と同様に、騒音解消処理のための専用の部材を備える必要がない。従って、コストを上昇させることなく、騒音解消処理を実現できる。
【００４２】
なお、上記したような「駆動信号と相殺音信号との周波数が略等しい」状態とは、各信号の周波数の比（低い方の周波数値を高い方の周波数値で割った値）が８０％以上となっている状態である。
【００４３】
また、このような第２出力装置は、駆動信号によって駆動されるスイッチング液晶パネルを備え、複数の視点に対し異なる映像を表示する液晶パネル（例えば３Ｄ液晶パネル）を表示画面とする、画像表示装置に適用することが可能である。
【００４４】
また、第１出力装置と第２出力装置とを備えた画像表示装置を構成することで、音声出力時および無音時の双方で騒音を解消可能な画像表示装置を実現できる。
なお、このような画像表示装置は、表示画面に画像を表示するとともに、スピーカーから音声を発生させる画像表示装置において、表示画面に駆動信号を出力する駆動信号出力装置と、スピーカーに音声信号を出力する音声信号出力装置とを備えており、上記の駆動信号出力装置は、表示画面に出力する駆動信号の周波数および位相を、スピーカーに出力される音声信号とほぼ等しくする一方、スピーカーに出力するべき有効な音声信号のない場合、上記の音声信号出力装置は、表示画面に出力される駆動信号と略等しい周波数および反対の位相を有する相殺音信号をスピーカーに出力する構成である、と表現できる。
【００４５】
また、本発明の駆動信号出力方法（第１出力方法）は、表示画面に画像を表示するとともに、スピーカーから音声を発生させる画像表示装置に用いられ、表示画面に駆動信号を出力する駆動信号出力方法において、表示画面に出力する駆動信号の周波数および位相を、スピーカーに出力される音声信号と略等しくする駆動信号調整工程を有していることを特徴としている。
【００４６】
この第１出力方法は、上記した第１出力装置に用いられている方法である。従って、この方法によって表示画面の駆動信号を出力すれば、音声出力時における表示画面の騒音を、低コストで解消できる。
【００４７】
また、本発明の音声信号出力方法（第２出力方法）は、表示画面に画像を表示するとともに、スピーカーから音声を発生させる画像表示装置に用いられ、スピーカーに音声信号を出力する音声信号出力方法において、スピーカーに出力するべき有効な音声信号のない場合、表示画面に出力される駆動信号と略等しい周波数および反対の位相を有する相殺音信号をスピーカーに出力する相殺音出力工程を有していることを特徴とする方法である。
【００４８】
この第２出力方法は、上記した第２出力装置に用いられている方法である。従って、この方法によって表示画面の駆動信号を出力すれば、無音時における表示画面の騒音を、低コストで解消できる。
【００４９】
また、本発明の騒音解消プログラムは、表示画面に画像を表示するとともに、スピーカーから音声を発生させる画像表示装置に備えられたコンピューターに、第１出力方法の駆動信号調整工程、あるいは、第２出力方法の相殺音出力工程を実行させるためのコンピュータープログラムである。
【００５０】
上記のようなコンピューターにこれらのプログラムを読み込ませることで、第１出力方法の駆動信号調整工程、あるいは、第２出力方法の相殺音出力工程の処理を、そのコンピューターによって実現することが可能となる。
また、これらのプログラムをコンピューターが読取可能な記録媒体に記録させておくことで、プログラムの保存・流通を容易に行えるようになる。
【発明を実施するための最良の形態】
【００５１】
本発明の一実施の形態について説明する。
本実施の形態にかかる液晶表示装置（本表示装置）は、携帯電話に用いられるものであり、電話のユーザーに対して画像を表示するとともに、音声を出力する機能を有するものである。
また、本表示装置では、後述する３Ｄ液晶パネルを用いて、画像を３次元表示（立体表示）あるいは２次元表示（平面表示）できるようになっている。
【００５２】
図１は、本表示装置の構成を示す説明図である。
この図に示すように、本表示装置は、スイッチング回路（スイッチング液晶駆動回路）３，音声発信回路４，スピーカー５，３Ｄ液晶パネル６，およびＴＦＴ液晶表示回路７を備えている。
【００５３】
音声発信回路（音声信号出力装置）４は、スピーカー５に音声信号を伝達することで、外部に音声を出力（音声表示）するものである。
３Ｄ液晶パネル（表示画面）６は、３次元表示（立体表示）および２次元表示（平面表示）を行うことの可能な画像表示パネルである。なお、３Ｄ液晶パネル６の詳細な構成については後述する。
【００５４】
ＴＦＴ液晶表示回路７は、３Ｄ液晶パネル６における後述するＴＦＴ液晶パネルに画像データ信号（ゲート信号，画像信号）を出力することにより、このパネルに画像を表示させるものである。
【００５５】
スイッチング回路３（駆動信号出力装置）３は、３Ｄ液晶パネル６における後述するスイッチング液晶パネルに駆動電圧を印加することにより、３Ｄ液晶パネル６の表示モード、すなわち、３Ｄ表示モードおよび２Ｄ表示モードを切り替えるためのものである。
【００５６】
ここで、３Ｄ液晶パネル６の詳細な構成について説明する。
図２は、３Ｄ液晶パネル６の構成を示す説明図である。
この図に示すように、３Ｄ液晶パネル６は、ＴＦＴ液晶パネル１０，視差バリアパネル２０およびスイッチング液晶パネル３０を、この順で貼り合わせた構成を有している。
また、３Ｄ液晶パネル６には、スイッチング液晶パネル３０の裏側（視差バリアパネル２０のない側）に、図示しないバックライトが設けられている。
【００５７】
ＴＦＴ液晶パネル１０は、画像データに応じた表示画面を生成するための液晶表示パネルである。
そして、このＴＦＴ液晶パネル１０は、第１偏光板１１，対向基板（基板）１２，液晶層（表示用液晶層）１３，アクティブマトリクス基板（基板）１４および第２偏光板１５を積層した構成を有している。
【００５８】
なお、ＴＦＴ液晶表示回路７から出力される画像データ信号は、ＦＰＣ（Flexible Printed Circuits）からなる配線５１を介して、アクティブマトリクス基板１４に入力される。
【００５９】
視差バリアパネル（微細加工位相差板）２０は、視差バリアとして機能するものである。
図３（ａ）（ｂ）は、視差バリアパネル２０の構成を示す説明図である。
図３（ａ）に示すように、視差バリアパネル２０は、透明基板（基板）２１上に配向膜２２を形成し、その上に液晶層（パターン化液晶層）２３を積層してなる構成である。
【００６０】
また、視差バリアパネル２０のアクティブエリアには、図３（ｂ）に示すように、それぞれ、第１領域２０Ａ（図中、斜線部にて示す）と、第２領域２０Ｂ（図中、射影部（ドット）にて示す）とが、交互にストライプ状（列状）に形成されている。
【００６１】
また、これら第１領域２０Ａと第２領域２０Ｂとでは、そのラビング方向、すなわち、遅相軸の方向が異なっている。従って、第１領域２０Ａを透過した光と第２領域２０Ｂを透過した光とでは、その偏光状態が異なることとなる。
【００６２】
また、視差バリアパネル２０は、液晶層２３の複屈折率異方性および膜厚の効果により、１／２波長板として作用するよう設定されている。
【００６３】
また、図２に示すように、スイッチング液晶パネル（駆動信号を受ける表示画面の部材）３０は、駆動側基板（ＳＥＧ基板）３１，液晶層（スイッチング用液晶層）３２，対向基板（ＣＯＭ基板）３３，および第３偏光板３４が、この順で積層されている構成である。
また、駆動側基板３１には、液晶層３２に駆動電圧を印加するための配線５２が接続されている。
【００６４】
このスイッチング液晶パネル３０は、単一画素で構成されており、外部から駆動信号を印加されるＯＮ状態と、駆動電圧を印加されないＯＦＦ状態の２通りの状態をとるように設定されている。
そして、スイッチング液晶パネル３０は、ＯＮ／ＯＦＦの各状態に応じて、自身を透過する光の偏光状態を切り替えるものである。
【００６５】
すなわち、スイッチング液晶パネル３０は、２Ｄ表示モードと３Ｄ表示モードとで、自身を透過する光への光学変調作用を変える機能を有している。
そして、スイッチング液晶パネル３０は、３Ｄ表示モードでは、ＯＦＦの状態となり、１／２波長板として作用する。
一方、２Ｄ表示モードでは、スイッチング液晶パネル３０はＯＮの状態となり、自身を透過する光に対して光学変調を与えなくなる（光を素通りさせる）ように設定されている。
【００６６】
なお、スイッチング液晶パネル３０では、駆動側基板３１と対向基板３３とのラビング方向を１８０度異ならせることで、ＯＮ状態で偏光に影響を及ぼさず、ＯＦＦ状態で１／２波長板として作用するような構造を実現している。
【００６７】
また、スイッチング液晶パネル３０は、ＴＦＴ液晶パネル１０のようにマトリクス駆動される必要はない。従って、駆動側基板３１および対向基板３３に備えられる駆動電極は、スイッチング液晶パネル３０のアクティブエリア全面に形成されればよい。
【００６８】
次に、３Ｄ液晶パネル６の表示動作について説明する。
まず、図４は、図１に示す３Ｄ液晶パネル６における、各構成部材の光学軸の方向を示す説明図である。
【００６９】
なお、この図４において示される光学軸は、液晶パネル１０・３０の基板および位相差板（視差バリアパネル２０）では、配向膜における遅相軸の方向（すなわち、配向膜のラビング方向）である一方、偏光板では透過軸の方向である。
この図の例では、視差バリアパネル２０における第１領域２０Ａを透過した光と第２領域２０Ｂを透過した光との偏光軸は、９０°異なっている。
【００７０】
まず、３Ｄ表示モード時における表示動作について説明する。
この場合、光源（バックライト）から出射された入射光は、最初に、スイッチング液晶パネル３０の第３偏光板３４によって偏光され、そのままスイッチング液晶パネル３０を透過する。
【００７１】
そして、スイッチング液晶パネル３０を透過した光は、次に、視差バリアパネル２０を透過する。このとき、第１領域２０Ａを透過した光と第２領域２０Ｂを透過した光とでは、その偏光軸が９０°異なる。
【００７２】
視差バリアパネル２０を透過した光は、ＴＦＴ液晶パネル１０の第２偏光板１５に入射される。
３Ｄ表示モードでは、視差バリアパネル２０における第１領域２０Ａの透過光の偏光軸は、第２偏光板１５の透過軸と平行である。従って、第１領域２０Ａの透過光は、第２偏光板１５を透過する。
一方、第２領域２０Ｂの透過光の偏光軸は、第２偏光板１５の透過軸と９０°の角度をなす。従って、第２領域２０Ｂの透過光は、第２偏光板１５を透過しない。
【００７３】
すなわち、３Ｄ表示モードでは、視差バリアパネル２０と第２偏光板（視差バリア用偏光板）１５との光学作用によって、視差バリア（視差バリア手段）の機能が達成され、視差バリアパネル２０における第１領域２０Ａが透過領域、第２領域２０Ｂが遮断領域となる。
そして、視差バリアパネル２０の透過領域（第１領域２０Ａ）および第２偏光板１５を透過することで、光に特定の視野角が与えられる。
【００７４】
一方、３Ｄ表示時には、ＴＦＴ液晶パネル１０の液晶層１３には、右目用画像および左目用画像のそれぞれに対応する画素が形成される。
そして、第２偏光板１５を透過して特定の視野角を与えられた光（第１領域２０Ａの透過光）は、液晶層１３において、右目用画像および左目用画像のそれぞれに対応する画素を透過する。
【００７５】
これにより、図５に示すように、右目用画像と左目用画像とが異なる視野角に分離され、本表示装置において、立体的な３Ｄ表示（３次元表示）が行われる。
【００７６】
また、２Ｄ表示モードでは、スイッチング液晶パネル３０がＯＮされる。従って、ここを透過する光は光学変調されず、素通りする。
このため、視差バリアパネル２０の領域２０Ａ・２０Ｂを透過した光の偏光軸は、第２偏光板１５の透過軸に対して、左右対称にずれた角度となる。
従って、これら領域２０Ａ・２０Ｂの透過光は、ともに、第２偏光板１５を同じ透過率で透過する。
【００７７】
これにより、２Ｄ表示モードでは、視差バリアパネル２０と第２偏光板１５との光学作用による視差バリアの機能が達成されず、第２偏光板１５の透過光に特定の視野角が与えられない。このため、本表示装置では、図６に示すように、通常の２Ｄ表示（２次元表示）が行われる。
【００７８】
次に、本表示装置における、スイッチング回路３によるスイッチング液晶パネル３０の駆動について説明する。
スイッチング回路３は、スイッチング液晶パネル３０における駆動側基板３１および対向基板３３のそれぞれに対して電圧信号を出力する。そして、これらの信号によって、スイッチング液晶パネル３０のＯＮ／ＯＦＦを切り替えるようになっている。
【００７９】
図７は、スイッチング回路３からスイッチング液晶パネル３０に出力される駆動電圧を示すタイムチャートである。
この図に示すＳＥＧ信号は、スイッチング回路３から駆動側基板３１に対して出力される駆動信号（＋１０Ｖの矩形波の電圧信号）である。
また、ＣＯＭ信号は、同じくスイッチング回路３から対向基板３３に対して出力される駆動信号（＋１０Ｖの矩形波の電圧信号）である。
【００８０】
そして、図７に示すように、３Ｄ表示モードでは、スイッチング回路３は、ＳＥＧ信号およびＣＯＭ信号を出力しない。
すなわち、スイッチング回路３は、３Ｄ表示モードでは、スイッチング液晶パネル３０の対向基板３３および駆動側基板３１に対する電圧印加を回避する（基板３３・３１をともに無印加状態にする；ＯＦＦ状態）ようになっている。
【００８１】
一方、２Ｄ表示モードでは、対向基板３３および駆動側基板３１に、一定周波数のＳＥＧ信号およびＣＯＭ信号を出力（印加）する（ＯＮ状態）。
また、図７に示したびＳＥＧ−ＣＯＭ間信号は、ＳＥＧ信号と、振幅を反転したＣＯＭ信号とを足しあわせた信号であり、液晶層３２に印加される電圧を示すものである。この信号によって示されているように、ＳＥＧ信号とＣＯＭ信号とは、互いに逆相関係となっている。
【００８２】
これにより、両基板３１・３３を介して、液晶層３２に互いに逆極性の電圧が印加されることとなる。従って、スイッチング液晶パネル３０に入射する光を、光学変調させることなく通過させることが可能となる。
【００８３】
次に、本表示装置の特徴的な処理である、騒音解消処理について説明する。
上記したように、２Ｄ表示モードでは、スイッチング液晶パネル３０に対し、ＳＥＧ信号およびＣＯＭ信号が印加される。そして、この信号印加によって、スイッチング液晶パネル３０から、これらの信号と同周波数，同位相の、虫の鳴くような騒音（発振音）が発生する。
そこで、本表示装置では、このような騒音をユーザーに感知させないように、以下のような処理を行う。
【００８４】
すなわち、図１に示すように、本表示装置のスピーカー５から有効な音声（ユーザーに聞かせるための音声）が出力されているとき（音声出力時）、スイッチング回路３が、スピーカー５に出力されている音声信号を取得する。
【００８５】
そして、スイッチング回路３は、音声信号と同様の周波数および位相を有する（音声信号と同調する）ＳＥＧ信号およびＣＯＭ信号を、スイッチング液晶パネル３０に出力する。
すなわち、スイッチング回路３は、スイッチング液晶パネル３０を、スピーカー５からの出力音声に同調する駆動信号で駆動する（音声同調駆動する）ように設定されている（駆動信号調整工程）。
【００８６】
以下に、音声出力時におけるスイッチング回路３の動作、すなわち、音声同調駆動に関するスイッチング回路３の動作について詳細に説明する。
図８は、音声出力時においてスイッチング回路３の処理する信号を示すタイムチャートである。
【００８７】
このとき、まず、スイッチング回路３は、音声発信回路４から取得した音声信号に、所定の閾値電圧±Ｖｔでフィルタをかける（整形する）。
すなわち、スイッチング回路３は、音声信号がＶｔを超えている時刻（タイミング）で正のパルス波（＋１０Ｖ）を有し、−Ｖｔを下回る時刻（タイミング）で負のパルス波（−１０Ｖ）を有する、図８に示すような、第１整形信号（第１音声整形信号）を生成する。
【００８８】
次に、スイッチング回路３は、この第１整形信号を整形して、図８に示すような第２整形信号（第２音声整形信号）を生成する。
この第２整形信号は、第１整形信号の電圧がゼロの部分を、その直前の電圧値（±１０Ｖ）で置き換えた信号である。
【００８９】
そして、スイッチング回路３は、この第２整形信号の正の部分をＣＯＭ信号とするとともに、負の部分をＳＥＧ信号とし、スイッチング液晶パネル３０に出力する。
これにより、本表示装置では、ＳＥＧ信号およびＣＯＭ信号を、音声信号と同様の周波数・位相を有する、音声同調信号とすることが可能となっている。
【００９０】
また、スイッチング液晶パネル３０から出力される騒音は、ＳＥＧ信号およびＣＯＭ信号に起因するものであるため、これらの信号と同周波数・同位相となっている。
従って、本表示装置では、スイッチング液晶パネル３０から発生する騒音を、スピーカー５から出力される音声と同周波数・同位相で出力することが可能となる。
これにより、本表示装置では、スピーカー５からの音声に騒音を紛らす（騒音に音声をかぶせる）ことが可能となり、騒音を目立たなくすることが可能となっている。
【００９１】
なお、第１整形信号を第２整形信号に変換して用いる理由は、２Ｄ表示モードでは、スイッチング液晶パネル３０に対し、ＳＥＧ信号あるいはＣＯＭ信号を常に印加させておく必要があるからである。このため、スイッチング回路３は、第１整形信号の電圧が０となったときには、閾値電圧を超える電圧に達するまで、その前の電圧値を保持するようになっている。
【００９２】
一方、本表示装置では、２Ｄモードにおいてスピーカー５から有効な音声（ユーザーに聞かせるための音声）が出力されていないとき（無音時）、スイッチング回路３は、図７に示したような、周期的なＳＥＧ信号およびＣＯＭ信号をスイッチング液晶パネル３０に出力する。
そして、このときには、音声発信回路４が、これらのＳＥＧ信号およびＣＯＭ信号を取得する。
そして、音声発信回路４は、ＳＥＧ信号およびＣＯＭ信号（ＳＥＧ−ＣＯＭ間信号）と同周波数で逆位相（振幅の正負が反対）の音声信号（相殺音信号）を、スピーカー５に出力するようになっている（相殺音出力工程）。
【００９３】
すなわち、本表示装置では、２Ｄモードでの無音時には、スピーカー５から、スイッチング液晶パネル３０から発生する騒音と同周波数で逆位相の音声（相殺音）を発生させ、ユーザー（本表示装置を備えた電子機器のユーザー）の耳元でこれらを互いに相殺させるようになっている。
これにより、本表示装置では、スイッチング液晶パネル３０の騒音を相殺音によって消去することが可能となっている。
【００９４】
なお、本表示装置では、上記のような相殺音による騒音の消去を、消去の必要なときだけ行うようにしてもよい。すなわち、消去しなくても問題のない場合（騒音がユーザーにとどかないような場合など）には、音声発信回路４は、相殺音信号の出力を取り止めるように設定されていてもよい。
【００９５】
図９は、本表示装置を携帯電話に応用した場合における、２Ｄモードでの音声信号およびＳＥＧ−ＣＯＭ間信号を示すタイムチャートである。
この図に示すように、通話時での音声発生時（スピーカー５から有効な音声が出力されているとき）では、受信された音声にかかる音声信号がスピーカー５から出力される。従って、スイッチング回路３は、この音声信号に応じたＳＥＧ信号，ＣＯＭ信号をスイッチング液晶パネル３０に出力する。
【００９６】
一方、通話時での無音時（スピーカー５から有効な音声がでていないとき）では、音声発信回路４が、ＳＥＧ信号，ＣＯＭ信号に応じた相殺音信号をスピーカー５に出力するようになっている。
【００９７】
さらに、待ち受け時（通信をしていないとき）では、スイッチング液晶パネル３０から騒音が発生しても、ユーザーに不快感を与えることは少ない。従って、図９に示すように、この応用例では、音声発信回路４は、無音時ではあるが、相殺音信号を出力しないようになっている。
【００９８】
以上のように、本表示装置のスイッチング回路３は、２Ｄモードにおいてスピーカー５から音声が出力されているとき（音声出力時）、この音声信号を取得する。
そして、スイッチング回路３は、スイッチング液晶パネル３０に出力する駆動信号（ＳＥＧ信号，ＣＯＭ信号）の周波数および位相を、音声信号の周波数および位相と略等しくするように設定されている。
【００９９】
このように、スイッチング回路３では、スイッチング液晶パネル３０を、スピーカー５からの音声に同調させた駆動信号によって駆動するようになっている。
これにより、スイッチング回路３では、駆動信号の周波数・位相に応じた騒音がスイッチング液晶パネル３０から発生している場合でも、この騒音を、スピーカー５からの音声で紛らす（騒音に音声をかぶせる）ことが可能となり、騒音を目立たなくする（隠す）ことが可能となっている。
【０１００】
このように、スイッチング回路３を用いれば、音声出力時におけるスイッチング液晶パネル３０の騒音を解消できる。従って、ユーザーが耳を近づけて使用する機会の多い携帯電話等に応用すれば、耳障りな騒音によってユーザーに不快感を与えてしまうことを回避できる。
また、スイッチング回路３では、騒音解消処理のための専用の部材を備える必要がない。従って、コストを上昇させることなく、騒音解消処理を実現できる。
【０１０１】
また、本表示装置の音声発信回路４は、２Ｄモードにおいて、スピーカー５に出力するべき有効な音声信号のないとき（無音時）、スイッチング液晶パネル３０に出力されている駆動信号を取得する。
そして、取得した駆動信号と略等しい周波数および反対の位相を有する相殺音信号を生成し、スピーカー５に出力するように設定されている。
【０１０２】
すなわち、音声発信回路４は、無音時に、駆動信号の周波数・位相に応じた騒音がスイッチング液晶パネル３０から発生している場合でも、騒音と略同周波数で略逆位相の音声（相殺音）を発生させ、これらを互いに相殺させるようになっている。
これにより、音声発信回路４では、スイッチング液晶パネル３０の騒音を、スピーカー５からの相殺音によって消去することが可能となっている。
【０１０３】
このように、音声発信回路４を用いれば、無音時におけるスイッチング液晶パネル３０の騒音を解消できる。従って、スイッチング回路３と同様に、ユーザーが耳を近づけて使用する機会の多い携帯電話等に応用すれば、耳障りな騒音によってユーザーに不快感を与えてしまうことを回避できる。
また、音声発信回路４では、スイッチング回路３と同様に、騒音解消処理のための専用の部材を備える必要がない。従って、コストを上昇させることなく、騒音解消処理を実現できる。
【０１０４】
また、本表示装置は、スイッチング回路３と音声発信回路４とを備えた画像表示装置である。従って、２Ｄモードでの音声出力時および無音時の双方で、騒音を解消可能な画像表示装置となっている。
【０１０５】
また、本表示装置の３Ｄ液晶パネル６は、複数の部材（パネル１０・２０・３０）を貼り合わせて構成されている。従って、各部材の交換が容易であり、生産性の高い液晶パネルとなっている。
【０１０６】
なお、本表示装置では、スピーカー５とスイッチング液晶パネル３０とを、できるだけ近づけて配置することが望ましい。これにより、２Ｄモードでの無音時に、騒音を相殺音によって相殺しやすくなる。
【０１０７】
また、このような相殺効果を上げるためには、スピーカー５の音声出力方向と、スイッチング液晶パネル３０の騒音の出力方向となるべく一致させることが好ましい。
【０１０８】
また、スイッチング液晶パネル３０の騒音は、駆動側基板３１および対向基板３３に含まれるガラス（基板を形成するガラス（ガラス基板））が、スイッチング液晶パネル３０に交流信号（交流電圧）であるＣＯＭ信号，ＳＥＧ信号を印加することが原因で生じると考えられる。
【０１０９】
従って、相殺効果を上げるためには、スピーカー５の音声出力方向と、スイッチング液晶パネル３０のガラスから音の出る方向（本表示装置の表示面）とを一致させるように、スピーカー５を配置することが好ましい。
【０１１０】
また、２Ｄモードにおける無音時に、スピーカー５から出力される相殺音のレベル（あるいは、音声発信回路４から出力される相殺音信号のレベル）については、スピーカー５の仕様，スイッチング液晶パネル３０のサイズ、液晶材料等に応じて、騒音に対する相殺効果を最大とするように、適切に設定することが好ましい。
【０１１１】
また、本表示装置では、スイッチング回路３が、ＣＯＭ信号，ＳＥＧ信号（ＣＯＭ−ＳＥＧ間信号）を、０Ｖを中心に、Ｖｐ−ｐが２０Ｖ程度の電圧信号とすることが好ましい。なお、図８に示したように、第１・２整形信号は、スイッチング回路３が通常出力するＣＯＭ信号，ＳＥＧ信号と同様の振幅を有していることが好ましい。
【０１１２】
また、ＣＯＭ信号，ＳＥＧ信号を、極端に高い周波数の波形（液晶の応答速度よりも速い周波数）とすると、表示を正常に行えない可能性がある。また、周波数を低くし過ぎると、同レベルの電圧が長時間印加され、液晶のスイッチングが機能しなくなる可能性がある。また、本表示装置の消費電力を考慮すると、ＣＯＭ信号，ＳＥＧ信号の周波数が高いほど消費電力が高くなる。このため、ＣＯＭ信号，ＳＥＧ信号の周波数は、可聴領域程度の周波数とすることが好ましいといえる。
【０１１３】
また、２Ｄモードでの音声出力時に、音声信号をフィルタするために使用する閾値については、音声信号の電圧レベル（スピーカー５等の仕様による）に応じて適切に設定することが好ましい。
【０１１４】
また、本実施の形態では、２Ｄモードでの音声出力時に、スイッチング回路３が、ＳＥＧ信号およびＣＯＭ信号を、音声信号と同周波数・同位相として、スイッチング液晶パネル３０に出力するとしている。
しかしながら、本表示装置では、ＳＥＧ信号およびＣＯＭ信号を、音声信号の周波数・位相に対して厳密に（完全に）一致させる必要はない。すなわち、スイッチング回路３は、スイッチング液晶パネル３０の駆動信号であるＳＥＧ信号およびＣＯＭ信号の周波数および位相を、スピーカー５に出力される音声信号と略等しくすればよい。
【０１１５】
なお、上記したような「音声信号と駆動信号との周波数が略等しい」状態とは、各信号の周波数の比（低い方の周波数値を高い方の周波数値で割った値）が８０％以上となっている状態である。
また、「音声信号と駆動信号との位相が略等しい」とは、音声と騒音（駆動信号に応じたもの）とをユーザーが耳で聞いたときに、２つの音がずれていないと感じるような状態である。具体的には、音声信号と駆動信号との位相のずれが、半周期未満である状態のことである。
【０１１６】
また、本実施の形態では、２Ｄモードでの無音時に、音声発信回路４が、ＳＥＧ信号およびＣＯＭ信号と同周波数で逆位相（振幅の正負が反対）の相殺音信号を、スピーカー５に出力するとしている。
しかしながら、本表示装置では、相殺音信号を、ＳＥＧ信号およびＣＯＭ信号と厳密に同周波数にする必要はない。すなわち、音声発信回路４は、スイッチング液晶パネル３０に出力される駆動信号（ＳＥＧ信号およびＣＯＭ信号）と略等しい周波数および反対の位相（逆位相）を有する相殺音信号をスピーカー５に出力すればよい。
【０１１７】
ここで、「駆動信号と相殺音信号との周波数が略等しい」状態とは、各信号の周波数の比（低い方の周波数値を高い方の周波数値で割った値）が８０％以上となっている状態である。
【０１１８】
また、上記のような相殺音信号については、位相を半周期ずらした駆動信号と同様の信号、あるいは、駆動信号の極性を反転して得られる信号と同様の信号、と表現することもできる。
【０１１９】
また、本実施の形態では、スイッチング液晶パネル３０を音声同調駆動する際（２Ｄモードでの音声出力時）、図８に示したように、閾値電圧±Ｖｔで音声信号にフィルタをかけるとしている。しかしながら、正の閾値電圧値と負の閾値電圧値とを異ならせるようにしてもよい。
【０１２０】
ここで、この閾値電圧について説明する。
この閾値電圧は、「ユーザーに聞かせたい音声（ある程度大きい音）だけに、スイッチング液晶パネル３０の騒音を同調させるため」に設定されるものである。
【０１２１】
すなわち、スイッチング液晶パネル３０の特性上、スイッチング液晶パネル３０に印加する駆動信号には、強弱を持たせられない。従って、全ての音声信号をスイッチング液晶の駆動信号に反映させると、音声信号の大小によらず、同じ音量の騒音がスイッチング液晶パネル３０から発生する。
【０１２２】
例えば、スピーカー５から、ユーザーの聞きたい通話相手の声が音量１０で，周囲雑音が音量２で発生しているとする。
また、スイッチング液晶パネル３０の騒音の音量は２であるとする。
ここで、全ての音声信号に基づいてスイッチング液晶パネル３０の駆動信号を生成すると、通話相手の声に応じた騒音の音量も、周囲雑音に応じた騒音も、ともに音量２となる。
【０１２３】
従って、ユーザーには、通話相手の声が音量１２（１０＋２；２５％音量アップ）で、周囲雑音が音量４（２＋２；１００％音量アップ）で聞こえることとなり、周囲雑音の割合が高くなってしまう。
【０１２４】
そこで、本表示装置では、上記のような閾値電圧を設定し、大きい音に応じた音声信号（閾値電圧より高電圧の音声信号）にスイッチング液晶パネル３０の駆動信号を同調させる一方、小さい音に応じた音声信号（閾値電圧より低電圧の音声信号）に対しては、駆動信号を同調させないように設定している。
【０１２５】
このように、閾値電圧は、どれぐらいの音量の音をスイッチング液晶パネル３０の駆動信号に反映させるのか、を決めるファクターになるものである（閾値電圧以上の音声信号がスイッチング液晶パネル３０の駆動信号に反映され、それ未満の音声信号は反映されない）。
これにより、本表示装置では、ユーザーに聞かせたい音声（ある程度大きい音，目立つ音）だけに、スイッチング液晶パネル３０の騒音を同調させられるようになっている。
なお、閾値電圧の具体的な値としては、概ね、音声信号の最大値の１／２〜３／４程度に設定することが好ましい。
【０１２６】
また、本実施の形態では、スイッチング液晶パネル３０を音声同調駆動する際、第１整形信号を整形した第２整形信号を駆動信号とするとしている。しかしながら、これに限らず、駆動信号を印加しないタイミングがあってもよい場合には、第１整形信号を駆動信号として用いてもよい。
【０１２７】
また、本実施の形態では、スイッチング液晶パネル３０をＯＮ状態したとき（ＳＥＧ信号およびＣＯＭ信号をスイッチング液晶パネル３０に印加したとき）に２Ｄ表示を行い、ＯＦＦ状態としたとき（ＳＥＧ信号およびＣＯＭ信号をスイッチング液晶パネル３０に印加しないとき）に３Ｄ表示を行うとしている。
【０１２８】
しかしながら、本表示装置では、スイッチング液晶パネル３０をＯＮ状態したときに３Ｄ表示を行い、ＯＦＦ状態としたときに２Ｄ表示を行うように設定してもよい。
この場合には、上記したスイッチング液晶パネル３０の騒音解消処理を、３Ｄモードのときに行うこととなる。
【０１２９】
また、本実施の形態では、ＴＦＴ液晶表示回路７から出力される画像データ信号を、ＦＰＣからなる配線５１を介して、アクティブマトリクス基板１４に入力するとしている。しかしながら、配線５１を、ＦＰＣ以外の他の配線回路によって構成してもよい。
【０１３０】
また、本実施の形態では、スイッチング液晶パネル３０の裏側バックライトが設けられているとしている。しかしながら、本表示装置を、反射型の液晶表示装置として構成する場合には、バックライトを設ける必要はなく、代わりに、外光を反射するための反射板を設けることが好ましい。
【０１３１】
また、本実施の形態では、本表示装置を携帯電話に応用する例を示したが、本表示装置は、ゲーム機器，ＰＤＡ（personal digital assistant），パーソナルコンピュータの表示画面，テレビ受像機など、表示画面を有する電子機器であれば、どのような機器にでも応用できる。
【０１３２】
また、本実施の形態では、スイッチング液晶パネル３０から騒音の発生しているとき、スピーカー５から音声の出力されている音声出力時では、スイッチング液晶パネル３０を音声同調駆動することにより騒音を目立たなくする一方、スピーカー５から音声（ユーザーによる音声）のでていない無音時では、音声発信回路４が、スピーカー５から相殺音を出力するとしている。
【０１３３】
しかしながら、これに限らず、本表示装置を、音声出力時にスイッチング回路３による音声同調駆動を行う一方、無音時には何らの騒音解消処理も講じない構成としてもよい。同様に、本表示装置を、音声出力時には何らの騒音解消処理も講じない一方、無音時には音声発信回路４による相殺音の出力処理を行う構成としてもよい。これらの構成であっても、従来技術に比して、騒音を抑えることが可能となる。
【０１３４】
また、本実施の形態では、２Ｄ／３Ｄモードの切り替えを行う３Ｄ液晶パネルを備えた画像表示装置において、いずれかのモードにおいてスイッチング液晶パネルから発生する騒音を、本発明の騒音解消処理によって消去する例について説明した。
【０１３５】
しかしながら、スイッチング液晶パネル３０を備え、これによって表示モードを切り替えるタイプの表示画面（視差バリア方式を利用した他の表示画面）を備えた画像表示装置であれば、本発明の騒音解消処理を適用することは容易である。このような表示画面は、３Ｄ液晶パネルのように、複数の視点に対し異なる映像を表示するものであり、同時に表示される異なる映像の数に応じて、複数種類の画素を有するものである。
【０１３６】
ここで、上記の「異なる映像」とは、相互の関連を特に必要とされるものではない。また、複数の視点としては、３Ｄ液晶パネルのように右目と左目であってもよいし、また、複数の観察者であってもよい。
【０１３７】
なお、複数の観察者に異なる映像を表示する表示画面としては、自動車の運転席のドライバーにカーナビゲーションシステムの映像を表示し、かつ助手席の同乗者にテレビ放送の映像を表示するような表示画面を挙げられる。
【０１３８】
また、複数の観察者に異なる映像を表示する場合、複数種類の画素を透過した光を、所定の距離をおいた各観察者によって観察すべき画像として分離できるように、視差バリアパネルの遮光部と透過部との配置パターンを適宜設定すればよい。
【０１３９】
また、本発明の騒音解消処理は、表示画面（あるいは他の部材）に駆動電圧（駆動信号）を印加することで騒音を発生するような装置であれば、３Ｄ液晶パネルに限らず、どのような表示装置（液晶ディスプレイ，プラズマディスプレイ，有機ＥＬ（electro luminescence）ディスプレイ，ＣＲＴ（cathode ray tube）など）にも応用できる。
なお、駆動信号の印加を受ける部材（騒音を発生する部材）は、駆動信号の周期や位相に厳密さを求めないタイプの部材であることが好ましい。
【０１４０】
また、本実施の形態では、本表示装置にＴＦＴ液晶パネル１０を用いるとしている。しかしながら、本表示装置に備える表示パネルの表示方式（ＴＮ方式やＳＴＮ方式）や駆動方式（アクティブマトリクス駆動やパッシブマトリクス駆動）は、特に限定されるものではない。
【０１４１】
また、本発明の画像表示装置を、表示画面に画像を表示するとともに、スピーカーから音声を発生させる画像表示装置において、表示画面に駆動信号を出力する駆動信号出力部と、スピーカーに音声信号を出力する音声信号出力部とを備えており、駆動信号出力部は、表示画面に出力する駆動信号の周波数および位相を、スピーカーに出力される音声信号と略等しくする構成である、と表現することもできる。
【０１４２】
さらに、本発明の画像表示装置を、表示画面に画像を表示するとともに、スピーカーから音声を発生させる画像表示装置において、表示画面に駆動信号を出力する駆動信号出力部と、スピーカーに音声信号を出力する音声信号出力部とを備えており、スピーカーに出力するべき有効な音声信号のない場合、上記音声信号出力部が、表示画面に出力される駆動信号と略等しい周波数および反対の位相を有する相殺音信号をスピーカーに出力する構成である、と表現することもできる。
【０１４３】
また、上記では、本表示装置における騒音解消処理を、スイッチング回路３および音声発信回路４の制御により行うとしている。しかしながら、これに限らず、これらの処理を実行するための制御部（情報処理装置）を、本表示装置に新たに備えるようにしてもよい。
この構成では、制御部の指示（制御）により、スイッチング回路３や音声発信回路４の出力する信号の周波数，位相，振幅が決定される。
【０１４４】
従って、本発明の駆動信号出力装置を、表示画面に画像を表示するとともに、スピーカーから音声を発生させる画像表示装置に備えられ、表示画面に駆動信号を出力する駆動信号出力装置において、駆動信号を出力する駆動信号出力部と、駆動信号出力部を制御して、スピーカーに出力される音声信号と略等しい周波数および位相を有する駆動信号を表示画面に出力させる制御部とを備えた構成である、と表現することもできる。
【０１４５】
また、本発明の音声信号出力装置を、表示画面に画像を表示するとともに、スピーカーから音声を発生させる画像表示装置に備えられ、スピーカーに音声信号を出力する音声信号出力装置において、音声信号を出力する音声信号出力部と、スピーカーに出力するべき有効な音声信号の有無を判断し、このような音声信号のない場合に、音声信号出力部を制御して、表示画面に出力される駆動信号と略等しい周波数および反対の位相を有する相殺音信号をスピーカーに出力させる制御部とを備えた構成である、と表現することもできる。
【０１４６】
また、本表示装置の騒音解消処理を行うためのプログラムを記録媒体に記録し、このプログラムを読み出すことのできる情報処理装置を、本表示装置に新たに備えるようにしてもよい。この構成では、情報処理装置の演算装置（ＣＰＵやＭＰＵ）が、記録媒体に記録されているプログラムを読み出して処理を実行する。従って、このプログラム自体が処理を実現するといえる。
【０１４７】
ここで、上記の情報処理装置としては、一般的なコンピューター（ワークステーションやパソコン）の他に、コンピューターに装着される、機能拡張ボードや機能拡張ユニットを用いることができる。
【０１４８】
また、上記のプログラムとは、処理を実現するソフトウェアのプログラムコード（実行形式プログラム，中間コードプログラム，ソースプログラム等）のことである。このプログラムは、単体で使用されるものでも、他のプログラム（ＯＳ等）と組み合わせて用いられるものでもよい。また、このプログラムは、記録媒体から読み出された後、装置内のメモリ（ＲＡＭ等）にいったん記憶され、その後再び読み出されて実行されるようなものでもよい。
【０１４９】
また、プログラムを記録させる記録媒体は、情報処理装置と容易に分離できるものでもよいし、装置に固定（装着）されるものでもよい。さらに、外部記憶機器として装置に接続するものでもよい。
【０１５０】
このような記録媒体としては、ビデオテープやカセットテープ等の磁気テープ、フロッピー（登録商標）ディスクやハードディスク等の磁気ディスク、ＣＤ−ＲＯＭ，ＭＯ，ＭＤ，ＤＶＤ，ＣＤ−Ｒ等の光ディスク（光磁気ディスク）、ＩＣカード，光カード等のメモリカード、マスクＲＯＭ，ＥＰＲＯＭ，ＥＥＰＲＯＭ，フラッシュＲＯＭ等の半導体メモリなどを適用できる。
また、ネットワーク（イントラネット・インターネット等）を介して情報処理装置と接続されている記録媒体を用いてもよい。この場合、情報処理装置は、ネットワークを介するダウンロードによりプログラムを取得する。すなわち、上記のプログラムを、ネットワーク（有線回線あるいは無線回線に接続されたもの）等の伝送媒体（流動的にプログラムを保持する媒体）を介して取得するようにしてもよい。なお、ダウンロードを行うためのプログラムは、装置内（あるいは送信側装置・受信側装置内）にあらかじめ記憶されていることが好ましい。
【０１５１】
また、図５・６に示したように、本表示装置は視差バリア方式を利用したもので、スイッチング液晶パネル３０によって光学視差バリアを設け、光の進行方向を制御し、左右の眼に異なる光が届くように分離する。これにより、左右の眼にそれぞれの異なる光が届くようし、左右の眼に異なる画像が見えるようにすることで、立体表示させることができる。また、スイッチング液晶パネル３０によって視差バリアを電気的に制御し、光を透過させることで、視差バリアによる光の分離を無くし、２Ｄ表示用コンテンツでは左右の眼に同じ画像が見えるようにできるため、従来の一般的なディスプレイとしての表示も可能である。
【０１５２】
ここで、視差バリア方式を利用した表示装置として、複数の視点に対し異なる映像を表示する表示装置であれば本発明を適用することができる。異なる映像としては、相互の関連を特に必要とされるものではない。複数の視点は、３Ｄ表示装置のように右目と左目であってもよいし、複数の観察者であってもよい。複数の観察者に異なる映像を表示する表示装置としては、自動車の運転席のドライバーにカーナビゲーションシステムの映像を表示し、かつ助手席の同乗者にテレビ放送の映像を表示するような表示装置が考えられる。複数の観察者に異なる映像を表示する場合には、各画素を透過した光が、所定の距離をおいた複数の観察者のそれぞれが観察すべき画像として分離できるように、視差バリアの遮光部と透過部の配置パターンを適宜設定すればよい。
【０１５３】
また、スイッチング液晶パネル（ＳＷ−ＬＣＤ）３０は単一画素で構成されており、現在実施中のものは対向基板３３側と駆動側基板３１側のラビング方向を１８０度異ならせることで、ＯＮ状態で偏光に影響を及ぼさず、ＯＦＦ状態で１／２波長板として作用するような構造を採用している。また、ＳＷ−ＬＣＤを駆動させる信号を図７に示す。３Ｄモードでは対向基板３３，駆動側基板３１ともに無印加状態にする（ＯＦＦ状態）。２Ｄモードでは、対向基板３３，駆動側基板３１ともに一定周波数の矩形波を印加する（ＯＮ状態）。このとき、対向基板３３信号と駆動側基板３１信号は逆相関係にする。
【０１５４】
また、本発明では、表示装置周辺に装着されているスピーカーに印加される信号から周波数情報をＳＷ−ＬＣＤ駆動信号に反映させてやることにより、３Ｄ液晶パネルから発生する音を表示装置周辺に装着されているスピーカーから発生する音に近づけることを提供するともいえる。これにより、電子機器に耳を近づけた時に聞こえる騒音を低減できる。すなわち、まず、音声信号を決められた閾値電圧でフィルタをかけてやる。次にそれにより整形された第１整形信号を第２整形信号のように整形する。なお、３Ｄ液晶表示装置が２Ｄ表示モードでは、スイッチング液晶に常に電圧を印加させておく必要がある（第１整形信号は電圧がゼロの時がある）。そのために第１整形信号の波形で電圧がゼロの時は、次の閾値電圧に達するまでその前の電圧の値を保持するようにし、その整形を行った信号が第２整形信号となる。よって、この信号がＣＯＭ−ＳＥＧ間に印加する信号であり、よってＣＯＭ電極には第２整形信号がプラスの時に信号を加え、ＳＥＧ電極には第２整形信号がマイナスの時に信号を加えてやる。また、第１整形信号から第２整形信号を生成する際、スイッチング回路３は、１番目の波形と２番目の波形との間を均等に印加時間を延ばすことで第２整形信号を生成してもよい。また、実際の音声信号のレベルを考慮して比例配分するようにしてもよい。
【０１５５】
また、スピーカーから音が発生していない状態でさらにスピーカーに耳を近づけている時（携帯電話で言うと通話時にスピーカーから音声が聞こえない場合）は、ＳＷ−ＬＣＤ駆動信号（ＣＯＭ信号，ＳＥＧ信号）と逆相の信号で電圧レベルをスピーカー用に調整した信号をスピーカーに印加させることにより、お互いの音を打ち消しあうので結果として３Ｄ液晶パネルから発生する騒音を低減することができる。また、騒音を相殺するためにスピーカーに印加する電圧レベルについては、スイッチング液晶パネル３０のパネルサイズ、液晶材料等の条件がモジュール毎に違うため、騒音を相殺するためにスピーカーに印加する電圧レベルは実際に測定等を行って経験的に導き出すことが好ましい。また、スピーカー音の信号の電圧はスピーカー５から出る音の大きさに比例する。つまり、閾値電圧はどれぐらいの音量の音をスイッチング液晶パネル３０側の信号に反映させるのかを決めるファクターになる。
【０１５６】
また、本発明の装置は、３Ｄ液晶表示装置とスピーカーとを隣接した場所に搭載した機器において、スピーカーの音を聞こうとする際に、３Ｄ液晶モジュールの構成部品の一つであるスイッチング液晶から聞こえる騒音を低減させることができる装置であるといえる。この装置によれば、装置のユーザーがスピーカーに耳を近づけている状況（携帯電話で言うと通話時）で、かつ、スピーカーから音が鳴っている際に、スピーカーに加わる音声信号の周波数と一致させた駆動信号をスイッチング液晶に印加する。これにより、スイッチング液晶から発生する音をスピーカーから発生する音に近づけ、スイッチング液晶から発生する騒音を低減する。また、装置のユーザーがスピーカーに耳を近づけている状況で、かつ、スピーカーから音が鳴っていない際には、スイッチング液晶駆動用信号を電圧の極性を反転させ、電圧レベルを調整してスピーカーに印加させる。これにより、スイッチング液晶から発生する音とスピーカーから発生する音の位相が逆となり、打ち消しあうことによりスイッチング液晶から発生する騒音を低減する。また、本発明では、ＳＷ−ＬＣＤ駆動信号は同じ電圧レベルでプラスの信号とマイナスの信号が半周期ごとに交互に出力されていてもよい。また、「同周波数・逆位相の信号」は「位相を半周期ずらした信号」もしくは「極性を反転した信号」ともいえる。
【０１５７】
また、本発明を、以下の第１スイッチング液晶駆動回路、第１〜３音声発信回路、第１・第２液晶表示装置として表現することもできる。
すなわち、第１スイッチング液晶駆動回路は、音声発信回路より音声信号を取り込む機能を持ち、かつ、スイッチング液晶を駆動する信号の周波数をスピーカーに印加される音声信号の周波数に一致させる機能を持ったスイッチング液晶駆動回路である。
【０１５８】
また、第１音声発信回路は、スイッチング液晶を駆動する信号の周波数をスピーカーに印加される音声信号の周波数に一致させる機能を持ち、かつ、スイッチング液晶を駆動させる信号を発信する機能を持った音声発信回路である。
また、第１液晶表示装置は、第１スイッチング液晶駆動回路および３Ｄ液晶表示パネル、ＴＦＴ液晶表示回路から構成された液晶表示装置である。
さらに、第２液晶表示装置は、第１音声発信回路および３Ｄ液晶表示パネル、ＴＦＴ液晶表示回路から構成された液晶表示装置である。
【０１５９】
また、第２音声発信回路は、通話中の無音時にＳＷ−ＬＣＤの駆動信号を取りこんで逆位相の信号をスピーカーに印加する音声発信回路である。
さらに、第３音声発信回路は、スイッチング液晶を駆動させる信号を発信する機能を持ち通話中の無音時にＳＷ−ＬＣＤの駆動信号と逆位相の信号をスピーカーに印加する音声発信回路である。
【産業上の利用可能性】
【０１６０】
本発明は、表示画面（あるいは他の部材）に駆動電圧（駆動信号）を印加することで騒音を発生するような表示装置に応用できる。
【図面の簡単な説明】
【０１６１】
【図１】本発明の一実施形態にかかる液晶表示装置の構成を示す説明図である。
【図２】図１に示した液晶表示装置に備えられている３Ｄ液晶パネルの構成を示す説明図である。
【図３】図３（ａ）（ｂ）は、図２に示した３Ｄ液晶パネルに備えられている視差バリアパネルの構成を示す説明図である。
【図４】図１に示す３Ｄ液晶パネル６における、各構成部材の光学軸の方向を示す説明図である。
【図５】図１に示した液晶表示装置における３Ｄ表示を示す説明図である。
【図６】図１に示した液晶表示装置における２Ｄ表示を示す説明図である。
【図７】図１に示したスイッチング回路から３Ｄ液晶パネルのスイッチング液晶パネルに出力される駆動電圧を示すタイムチャートである。
【図８】音声出力時においてスイッチング回路の処理する信号を示すタイムチャートである。
【図９】図１に示した液晶表示装置を携帯電話に応用した場合における、２Ｄモードでの音声信号およびＳＥＧ−ＣＯＭ間信号を示すタイムチャートである。
【符号の説明】
【０１６２】
３  スイッチング回路（駆動信号出力装置）
４  音声発信回路（音声信号出力装置）
５  スピーカー
６  ３Ｄ液晶パネル（表示画面）
７  ＴＦＴ液晶表示回路
１０  ＴＦＴ液晶パネル
１１  第１偏光板
１２  対向基板
１３  液晶層
１４  アクティブマトリクス基板
１５  第２偏光板
２０  視差バリアパネル
２０Ａ  第１領域
２０Ｂ  第２領域
２１  透明基板
２２  配向膜
２３  液晶層
３０  スイッチング液晶パネル（駆動信号を受ける表示画面の部材）
３１  駆動側基板
３２  液晶層
３３  対向基板
３４  第３偏光板
５１  配線
５２  配線
【図１】
2005091512.tif 000003
【図２】
2005091512.tif 000004
【図３】
2005091512.tif 000005
【図４】
2005091512.tif 000006
【図５】
2005091512.tif 000007
【図６】
2005091512.tif 000008
【図７】
2005091512.tif 000009
【図８】
2005091512.tif 000010
【図９】
2005091512.tif 000011